(57)【要約】【課題】無線通信装置が備えるセンサを活用することによって、特定の無線通信機器と容易に通信を確立すること。【解決手段】無線通信システム１は、スレーブ装置２０と、スレーブ装置２０と通信可能なマスタ装置１０とから構成される。マスタ装置１０は、自装置の環境に関する情報を計測するセンサ１１と、センサ１１により所定時間の間に計測された計測値の変化量に基づいて、前記スレーブの通信装置との通信の可否を判定する通信可否判断部１３と、通信の可否の判定結果をスレーブ装置２０に送信するマスタ通信部１４と、を備える。スレーブ装置２０は、マスタ装置１０から受信した通信可否の判断結果が通信可である場合に、マスタ装置１０との通信を確立するスレーブ通信部２１を備える。【選択図】図１
2014072755.tif 000002
【特許請求の範囲】
【請求項１】
一のスレーブの通信装置と、前記一のスレーブの通信装置と通信可能な複数のマスタの通信装置とを備える無線通信システムであって、
前記マスタの通信装置が、
自装置の環境に関する情報を計測するセンサと、
前記センサにより所定時間の間に計測された計測値の変化量に基づいて、前記スレーブの通信装置との通信可否を判断する通信可否判断手段と、
前記通信可否の判断結果を前記スレーブの通信装置に送信するマスタ通信手段と、
を備え、
前記スレーブの通信装置が、
前記マスタの通信装置から受信した前記通信可否の判断結果が通信可である場合に、当該マスタの通信装置との通信を確立するスレーブ通信手段を備えることを特徴とする無線通信システム。
【請求項２】
前記センサが、所定時間毎に自装置の前記環境に関する情報を計測し、
前記通信可否判断手段が、前記センサが計測する毎に、当該センサにより所定時間の間に計測された計測値の変化量に基づいて、前記スレーブの通信装置との通信可否を判断することを特徴とする請求項１に記載の無線通信システム。
【請求項３】
前記マスタ通信手段が、前記通信可否の判断結果とともに、自装置を特定する情報を前記スレーブの通信装置に送信し、
前記スレーブの通信装置が、
前記マスタの通信装置から受信した前記通信可否の判断結果が通信可である場合に、当該マスタの通信装置を特定する情報を表示する表示手段を備えることを特徴とする請求項１または請求項２に記載の無線通信システム。
【請求項４】
前記スレーブ通信手段が、前記表示手段に表示された前記マスタの通信装置との通信を許可しない旨の入力をユーザから受け付けた場合に、当該マスタの通信装置との通信を切断することを特徴とする請求項３に記載の無線通信システム。
【請求項５】
前記センサが、ユーザの動作により変化する前記自装置の環境に関する情報を測定することを特徴とする請求項１から請求項４のいずれかに記載の無線通信システム。
【請求項６】
前記マスタの通信装置が、前記スレーブの通信装置との通信は不可に予め初期設定されることを特徴とする請求項１から請求項５のいずれかに記載の無線通信システム。
【請求項７】
前記マスタの通信装置が、ユーザからの入力を受け付ける入力部を有しないことを特徴とする請求項１から請求項６のいずれかに記載の無線通信システム。
【請求項８】
前記マスタの通信装置を特定する情報が、ユーザから認識できないことを特徴とする請求項５に記載の無線通信システム。
【請求項９】
一のスレーブの通信装置と、前記一のスレーブの通信装置と通信可能な複数のマスタの通信装置とを備える無線通信システムにおける当該マスタの通信装置であって、
自装置の環境に関する情報を測定するセンサと、
前記センサにより所定時間の間に測定された計測値の変化量に基づいて、前記スレーブの通信装置との通信可否を判断する通信可否判断手段と、
前記通信可否の判断結果を前記スレーブの通信装置に送信するマスタ通信手段と、
を備え、前記通信可否の判断結果に応じて、前記スレーブの通信装置との通信を確立することを特徴とするマスタの通信装置。
【請求項１０】
一のスレーブの通信装置と、前記一のスレーブの通信装置と通信可能な複数のマスタの通信装置とを備える無線通信システムにおける無線通信方法であって、
前記マスタの通信装置のセンサが、自装置の環境に関する情報を計測する第１のステップと、
前記マスタの通信装置の通信可否判断手段が、前記センサにより所定時間の間に計測された計測値の変化量に基づいて、前記スレーブの通信装置との通信可否を判断する第２のステップと、
前記マスタの通信装置のマスタ通信手段が、前記通信可否の判断結果を前記スレーブの通信装置に送信する第３のステップと、
前記スレーブの通信装置のスレーブ通信手段が、前記マスタの通信装置から受信した前記通信可否の判断結果が通信可である場合に、当該マスタの通信装置との通信を確立する第４のステップと、
を含むことを特徴とする無線通信方法。
【請求項１１】
一のスレーブの通信装置と、前記一のスレーブの通信装置と通信可能な複数のマスタの通信装置とを備える無線通信システムにおける無線通信方法をコンピュータに実行させるプログラムであって、
前記マスタの通信装置のセンサが、自装置の環境に関する情報を計測する第１のステップと、
前記マスタの通信装置の通信可否判断手段が、前記センサにより所定時間の間に計測された計測値の変化量に基づいて、前記スレーブの通信装置との通信可否を判断する第２のステップと、
前記マスタの通信装置のマスタ通信手段が、前記通信可否の判断結果を前記スレーブの通信装置に送信する第３のステップと、
前記スレーブの通信装置のスレーブ通信手段が、前記マスタの通信装置から受信した前記通信可否の判断結果が通信可である場合に、当該マスタの通信装置との通信を確立する第４のステップと、
をコンピュータに実行させるためのプログラム。
【発明の詳細な説明】
【技術分野】
【０００１】
本発明は、無線通信システム、無線通信装置、無線通信方法、およびプログラムに関する。
【背景技術】
【０００２】
現在、Ｂｌｕｅｔｏｏｔｈ（登録商標）を使用した音楽プレーヤ、携帯電話機、小型携帯端末装置、パーソナルコンピュータ（Ｐｅｒｓｏｎａｌ  ｃｏｍｐｕｔｅｒ）等の情報処理装置、ヘッドホン、スピーカ等の出力装置、リモートコントローラ、マウス、キーボード等の入力装置のように、無線通信を使用した電子装置が広く利用されている。特に近年は、腕時計やウエアラブルのセンサ端末等、コイン電池駆動の小型機器を近距離の無線通信技術を使ってスマートフォンと接続し、新たな機能を実現しようとする取り組みが進んでいる。
【０００３】
一般に、携帯電話機等の通信端末装置に搭載されているＢｌｕｅｔｏｏｔｈ通信機能は、手軽に無線通信を行うことができるという反面、Ｂｌｕｅｔｏｏｔｈ通信の使用時にはその通信の相手先同士を特定して対応付けるペアリングと呼ばれる操作を必要としている。
【０００４】
ここで、通信の相手先同士を特定するための一般的な接続手順は、次のようにして行われている。スレーブ側の通信装置を起動させて接続待ち状態にした後、マスタ側の通信装置がスレーブ側の通信装置を検索する処理を実行する。周囲に存在していてＢｌｕｅｔｏｏｔｈ通信が可能な接続待ち状態にあるスレーブ側の通信装置が存在していれば、検索されたスレーブ側の通信装置を通信相手先の選択候補として、一覧表示させる。しかしながら、ペアリングを行なう際に、スレーブ側の通信装置を検索すると、１０ｍ以内に存在する多くのスレーブ側の通信装置がリストアップされてしまい、所望するスレーブ側の通信装置を選択するのが困難という問題点があった。
【０００５】
そこで、マスタ側の通信装置が通信相手先を探索する際に、送信電力を段階的に変化させ、レスポンスのあった通信装置を探索範囲別にリスト表示し、通信相手先を選択しやすくするという技術が提案されている（例えば、特許文献１参照）。
【先行技術文献】
【特許文献】
【０００６】
【特許文献１】特開２００３−２１８７８５号公報
【発明の概要】
【発明が解決しようとする課題】
【０００７】
しかしながら、特許文献１に記載の技術では、複数の通信装置が近接した状態で存在する場合に、接続したい通信装置を明確に特定することが困難であるという問題点があった。また、スレーブ側の通信装置の周囲に、接続しようとするマスタ側の通信装置と同一のデバイスネームを有する他の通信装置が存在する場合があり、このような場合に、接続しようとするマスタ側の通信装置を特定することが困難であるという問題点もあった。
【０００８】
そこで、本発明は、上記課題に鑑み、無線通信装置が備えるセンサを活用することによって、特定の無線通信機器と容易に通信を確立することができる無線通信システム、無線通信装置、無線通信方法、およびプログラムを提供することを目的とする。
【課題を解決するための手段】
【０００９】
本発明は、上記の課題を解決するために、以下の事項を提案している。なお、理解を容易にするために、本発明の実施形態に対応する符号を付して説明するが、これに限定されるものではない。
【００１０】
（１）  本発明は、一のスレーブの通信装置（例えば、図１のスレーブ装置２０に相当）と、前記一のスレーブの通信装置と通信可能な複数のマスタの通信装置（例えば、図１のマスタ装置１０に相当）とを備える無線通信システムであって、前記マスタの通信装置が、自装置の環境に関する情報を計測するセンサ（例えば、図１のセンサ１１に相当）と、前記センサにより所定時間の間に計測された計測値の変化量に基づいて、前記スレーブの通信装置との通信可否を判断する通信可否判断手段（例えば、図１のセンサ制御部１２、通信可否判断部１３に相当）と、前記通信可否の判断結果を前記スレーブの通信装置に送信するマスタ通信手段（例えば、図１のマスタ通信部１４に相当）と、を備え、前記スレーブの通信装置が、前記マスタの通信装置から受信した前記通信可否の判断結果が通信可である場合に、当該マスタの通信装置との通信を確立するスレーブ通信手段（例えば、図１のスレーブ通信部２１に相当）を備えることを特徴とする無線通信システムを提案している。
【００１１】
この発明によれば、センサは、自装置の環境に関する情報を計測する。通信可否判断手段は、センサにより所定時間の間に計測された計測値の変化量に基づいて、スレーブの通信装置との通信可否を判断する。マスタ通信手段は、通信可否の判断結果をスレーブの通信装置に送信する。スレーブ通信手段は、マスタの通信装置から受信した通信可否の判断結果が通信可である場合に、マスタの通信装置との通信を確立する。したがって、スレーブの通信装置が、センサの計測値に変化があったマスタの通信装置と通信を確立することにより、特定の通信機器と容易に通信を確立することができる。
【００１２】
（２）  本発明は、（１）の無線通信システムについて、前記センサが、所定時間毎に自装置の前記環境に関する情報を計測し、前記通信可否判断手段が、前記センサが計測する毎に、当該センサにより所定時間の間に計測された計測値の変化量に基づいて、前記スレーブの通信装置との通信可否を判断することを特徴とする無線通信システムを提案している。
【００１３】
この発明によれば、センサは、所定時間毎に自装置の環境に関する情報を計測する。通信可否判断手段が、センサが計測する毎に、センサにより所定時間の間に計測された計測値の変化量に基づいて、スレーブの通信装置との通信可否を判断する。したがって、センサの計測値に変化が無くなった場合に、自動的にマスタの通信装置とスレーブの通信装置との通信を切断することができる。
【００１４】
（３）  本発明は、（１）または（２）の無線通信システムについて、前記マスタ通信手段が、前記通信可否の判断結果とともに、自装置を特定する情報を前記スレーブの通信装置に送信し、前記スレーブの通信装置が、前記マスタの通信装置から受信した前記通信可否の判断結果が通信可である場合に、当該マスタの通信装置を特定する情報を表示する表示手段（例えば、図１の表示部２３に相当）を備えることを特徴とする無線通信システムを提案している。
【００１５】
この発明によれば、マスタ通信手段は、通信可否の判断結果とともに、自装置を特定する情報をスレーブの通信装置に送信する。表示手段は、マスタの通信装置から受信した通信可否の判断結果が通信可である場合に、マスタの通信装置を特定する情報を表示する。したがって、ユーザは、スレーブの通信装置が通信を確立する、または確立しているマスタ側の通信装置を確認することができる。
【００１６】
（４）  本発明は、（３）の無線通信システムについて、前記スレーブ通信手段が、前記表示手段に表示された前記マスタの通信装置との通信を許可しない旨の入力をユーザから受け付けた場合に、当該マスタ通信装置との通信を切断することを特徴とする無線通信システムを提案している。
【００１７】
この発明によれば、スレーブ通信手段は、表示手段に表示されたマスタの通信装置との通信を許可しない旨の入力をユーザから受け付けた場合に、マスタ通信装置との通信を切断する。したがって、ユーザがスレーブの通信装置との通信を希望しないマスタの通信装置との通信を切断することができる。
【００１８】
（５）  本発明は、（１）から（４）の無線通信システムについて、前記センサが、ユーザの動作により変化する前記自装置の環境に関する情報を測定することを特徴とする無線通信システムを提案している。
【００１９】
この発明によれば、センサは、ユーザの動作により変化する自装置の環境に関する情報を測定する。したがって、ユーザは、マスタの通信装置に対し動作することで、スレーブの通信装置と通信させたいマスタの通信装置を容易に指定することができる。
【００２０】
（６）  本発明は、（１）から（５）の無線通信システムについて、前記マスタの通信装置が、前記スレーブの通信装置との通信は不可に予め初期設定されることを特徴とする無線通信システムを提案している。
【００２１】
この発明によれば、マスタの通信装置は、スレーブの通信装置との通信は不可に予め初期設定される。したがって、スレーブの通信装置との通信が、マスタの通信装置が起動された際に開始されてしまうことを防ぐことができる。
【００２２】
（７）  本発明は、（１）から（６）の無線通信システムについて、前記マスタの通信装置が、ユーザからの入力を受け付ける入力部を有しないことを特徴とする無線通信システムを提案している。
【００２３】
この発明によれば、マスタの通信装置は、ユーザからの入力を受け付ける入力部を有しない。したがって、ボタン等の入力部を備えることができない小型機器を、マスタの通信装置とすることができる。
【００２４】
（８）  本発明は、（５）の無線通信システムについて、前記マスタの通信装置を特定する情報が、ユーザから認識できないことを特徴とする無線通信システムを提案している。
【００２５】
この発明によれば、マスタの通信装置を特定する情報は、ユーザから認識できない。したがって、マスタの通信装置を特定する情報をユーザが認識できない場合にも、ユーザがマスタの通信装置を指定することができる。
【００２６】
（９）  本発明は、一のスレーブの通信装置（例えば、図１のスレーブ装置２０に相当）と、前記一のスレーブの通信装置と通信可能な複数のマスタの通信装置（例えば、図１のマスタ装置１０に相当）とを備える無線通信システムにおける当該マスタの通信装置であって、自装置の環境に関する情報を測定するセンサ（例えば、図１のセンサ１１に相当）と、前記センサにより所定時間の間に測定された計測値の変化量に基づいて、前記スレーブの通信装置との通信可否を判断する通信可否判断手段（例えば、図１の通信可否判断部１３に相当）と、前記通信可否の判断結果を前記スレーブの通信装置に送信するマスタ通信手段（例えば、図１のマスタ通信部１４に相当）と、を備え、前記通信可否の判断結果に応じて、前記スレーブの通信装置との通信を確立することを特徴とするマスタの通信装置を提案している。
【００２７】
この発明によれば、センサは、自装置の環境に関する情報を計測する。通信可否判断手段は、センサにより所定時間の間に計測された計測値の変化量に基づいて、スレーブの通信装置との通信可否を判断する。マスタ通信手段は、通信可否の判断結果をスレーブの通信装置に送信する。したがって、センサの計測値に変化があったマスタの通信装置が、スレーブの通信装置と通信を確立することにより、特定の通信機器と容易に通信を確立することができる。
【００２８】
（１０）  本発明は、一のスレーブの通信装置と、前記一のスレーブの通信装置と通信可能な複数のマスタの通信装置とを備える無線通信システムにおける無線通信方法であって、前記マスタの通信装置のセンサが、自装置の環境に関する情報を計測する第１のステップ（例えば、図２のステップＳ０からステップＳ２に相当）と、前記マスタの通信装置の通信可否判断手段が、前記センサにより所定時間の間に計測された計測値の変化量に基づいて、前記スレーブの通信装置との通信可否を判断する第２のステップ（例えば、図２のステップＳ３からステップＳ６に相当）と、前記マスタの通信装置のマスタ通信手段が、前記通信可否の判断結果を前記スレーブの通信装置に送信する第３のステップ（例えば、図３のステップＳ１２に相当）と、前記スレーブの通信装置のスレーブ通信手段が、前記マスタの通信装置から受信した前記通信可否の判断結果が通信可である場合に、当該マスタの通信装置との通信を確立する第４のステップ（例えば、図３のステップＳ１３、ステップＳ１４に相当）と、を含むことを特徴とする無線通信方法を提案している。
【００２９】
この発明によれば、まず、ステップＳ１において、マスタの通信装置のセンサが、自装置の環境に関する情報を計測する。次に、ステップＳ２において、マスタの通信装置の通信可否判断手段が、センサにより所定時間の間に計測された計測値の変化量に基づいて、スレーブの通信装置との通信可否を判断する。次に、ステップＳ３において、マスタの通信装置のマスタ通信手段が、通信可否の判断結果をスレーブの通信装置に送信する。次に、ステップＳ４において、スレーブの通信装置のスレーブ通信手段が、マスタの通信装置から受信した通信可否の判断結果が通信可である場合に、マスタの通信装置との通信を確立する。したがって、スレーブの通信装置が、センサの計測値に変化があったマスタの通信装置と通信を確立することにより、特定の通信機器と容易に通信を確立することができる。
【００３０】
一のスレーブの通信装置と、前記一のスレーブの通信装置と通信可能な複数のマスタの通信装置とを備える無線通信システムにおける無線通信方法をコンピュータに実行させるプログラムであって、前記マスタの通信装置のセンサが、自装置の環境に関する情報を計測する第１のステップ（例えば、図２のステップＳ０からステップＳ２に相当）と、前記マスタの通信装置の通信可否判断手段が、前記センサにより所定時間の間に計測された計測値の変化量に基づいて、前記スレーブの通信装置との通信可否を判断する第２のステップ（例えば、図２のステップＳ３からステップＳ６に相当）と、前記マスタの通信装置のマスタ通信手段が、前記通信可否の判断結果を前記スレーブの通信装置に送信する第３のステップ（例えば、図３のステップＳ１２に相当）と、前記スレーブの通信装置のスレーブ通信手段が、前記マスタの通信装置から受信した前記通信可否の判断結果が通信可である場合に、当該マスタの通信装置との通信を確立する第４のステップ（例えば、図３のステップＳ１３、ステップＳ１４に相当）と、をコンピュータに実行させるためのプログラムを提案している。
【００３１】
この発明によれば、まず、ステップＳ１において、マスタの通信装置のセンサが、自装置の環境に関する情報を計測する。次に、ステップＳ２において、マスタの通信装置の通信可否判断手段が、センサにより所定時間の間に計測された計測値の変化量に基づいて、スレーブの通信装置との通信可否を判断する。次に、ステップＳ３において、マスタの通信装置のマスタ通信手段が、通信可否の判断結果をスレーブの通信装置に送信する。次に、ステップＳ４において、スレーブの通信装置のスレーブ通信手段が、マスタの通信装置から受信した通信可否の判断結果が通信可である場合に、マスタの通信装置との通信を確立する。したがって、スレーブの通信装置が、センサの計測値に変化があったマスタの通信装置と通信を確立することにより、特定の通信機器と容易に通信を確立することができる。
【発明の効果】
【００３２】
本発明によれば、無線通信装置が備えるセンサを活用することによって、特定の無線通信機器と容易に通信を確立することができる。
【図面の簡単な説明】
【００３３】
【図１】本発明の実施形態に係る無線通信システムの機能構成を示す図である。
【図２】本発明の実施形態にかかるスレーブ装置における通信可否判断処理フローを示す図である。
【図３】本発明の実施形態にかかる無線通信システムにおける通信処理フローを示す図である。
【発明を実施するための形態】
【００３４】
以下、図面を用いて、本発明の実施形態について詳細に説明する。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３５】
＜無線通信システムの構成＞
図１は、本発明の実施形態に係る無線通信システム１の機能構成を示す図である。図１に示すように、無線通信システム１は、通信を行うマスタ側の通信装置（以下、マスタ装置という）１０と、通信されるスレーブ側の通信装置（以下、スレーブ装置という）２０とを備える。図１において、スレーブ装置２０は１台しか図示していないが、複数台であってもよい。なお、本実施形態において、スレーブ装置２０は複数台であることが望ましい。
【００３６】
＜マスタ装置の機能構成＞
マスタ装置１０は、スレーブ装置２０に通信を行う装置であって、図１に示すように、センサ１１、センサ制御部１２、通信可否判断部１３、およびマスタ通信部１４を備える。マスタ装置１０は、例えば、心拍計や歩数計といったヘルスケア・フィットネス機器、腕時計、小型センサ等の小型機器であるのが望ましい。更に、ボタンといったユーザからの入力を受け付ける入力部を有さない小型機器や、利用者がマスタ装置１０を特定する情報をユーザが認識できない小型機器に、本発明は特に有効である。
【００３７】
センサ１１は、マスタ装置１０が起動されると、計測を開始する。そして、センサ１１は、計測値を、センサ制御部１２からの要求に応じて送信する。センサは、例えば、歩数計、心拍計、人感センサ、照度センサ、加速度センサ、温度センサ、湿度センサ等である。なお、歩数計や人感センサといったユーザが任意に計測値を変化させることができるセンサである場合には、ユーザがセンサの計測値を変化させることによって、通信を行うマスタ装置１０を容易に指定することができる。
【００３８】
センサ制御部１２は、予め設定された所定時間の間に一定間隔で計測値を、センサ１１から取得する。次に、センサ制御部１２は、所定時間の間で取得した計測値を通信可否判断部１３に送信する。センサ制御部１２は、所定時間の間で取得した計測値を通信可否判断部１３に送信した後、再び同処理を繰り返してもよいし、一定間隔をあけた後、同処理を繰り返してもよい。本実施形態においては、センサ１１は、マスタ装置１０が起動された後、常に計測を行っているものとするが、所定のタイミングにて計測を行うものであってもよい。その場合、センサ制御部１２は、センサ１１が計測を行ったこと応じて、計測値を取得する。なお、本実施形態において、センサ制御部１２として独立しているが、センサ制御部１２の機能を通信可否判断部１３に含めてもよい。
【００３９】
通信可否判断部１３は、所定時間の間にセンサ制御部１２がセンサ１１から取得した計測値を、センサ制御部１２から取得する。次に、通信可否判断部１３は、取得した所定時間の間の計測値に基づいて、所定時間における計測値の変化量を求める。例えば、前後の計測値の変化量を求め、それらの和を所定時間における計測値の変化量とする。そして、通信可否判断部１３は、求めた所定時間における計測値の変化量に基づいて、スレーブ装置２０との通信可否を判断する。
【００４０】
具体的には、通信可否判断部１３は、求めた所定時間における計測値の変化量が予め設定されたしきい値を超えた場合には、スレーブ装置２０と通信可と判断し、一方、求めた所定時間における計測値の変化量が予め設定されたしきい値を超えない場合には、スレーブ装置２０と通信不可と判断する。
【００４１】
通信可否判断部１３の判断結果に基づいて、マスタ通信部１４に設定されているスレーブ装置２０との通信可否の設定を変更する。例えば、「ＡＮＴ」の無線通信方式の場合には、通信可否判断部１３が、スレーブ装置２０と通信可と判断した場合にはＰａｉｒｉｎｇ  Ｂｉｔを「ＯＮ」にし、一方、通信可否判断部１３が、スレーブ装置２０と通信不可と判断した場合にはＰａｉｒｉｎｇ  Ｂｉｔを「ＯＦＦ」にする。
【００４２】
なお、本実施形態において、スレーブ装置２０との通信可否の初期設定は通信不可とする。それにより、スレーブ装置２０と通信が、マスタ装置１０が起動された際に開始されてしまうことを防ぐことができる。
【００４３】
＜通信可否判断処理フロー＞
図２を用いて、本実施形態にかかるスレーブ装置２０における通信可否判断処理フローについて説明する。
【００４４】
まず、ステップＳ０において、センサ１１は、マスタ装置１０が起動された後、常に計測を行う。
【００４５】
次に、ステップＳ１において、センサ制御部１２が、所定時間の間に一定間隔で計測値を、センサ１１から取得する。
【００４６】
次に、ステップＳ２において、センサ制御部１２は、センサ１１から計測値を所定時間取得すると、ステップＳ１で取得した計測値を通信可否判断部１３に送信する。
【００４７】
次に、ステップＳ３において、通信可否判断部１３は、センサ制御部１２から所定時間の間の計測値を取得する。
【００４８】
次に、ステップＳ４において、通信可否判断部１３は、ステップＳ３で取得した所定時間の間の計測値に基づいて、所定時間における計測値の変化量を求める。
【００４９】
次に、ステップＳ５において、通信可否判断部１３は、ステップＳ４で求めた所定時間における計測値の変化量に基づいて、スレーブ装置２０との通信可否を判断する。
【００５０】
次に、ステップＳ６において、通信可否判断部１３は、ステップＳ５での通信可否判断部１３の判断結果に基づいて、マスタ通信部１４に設定されているスレーブ装置２０との通信可否の設定を変更する。
【００５１】
上述したステップＳ１からステップＳ６の通信可否判断処理フローを一定間隔にて繰り返す。なお、ステップＳ６の終了後、すぐにステップＳ１の処理を開始してもよい。このように、通信可否判断処理フローを繰り返すことにより、センサ１１の計測値に変化が無くなった場合に、自動的にマスタ装置１０とスレーブ装置２０との通信を切断することができる。
【００５２】
図１に戻って、マスタ通信部１４は、通信可否判断部１３の通信可否判断の結果と、スレーブ装置２０と通信を確立するための情報とを、スレーブ装置２０に送信する。以下、通信可否判断部１３の通信可否判断の結果と、スレーブ装置２０と通信を確立するための情報とを併せて通信情報という。
【００５３】
例えば、「ＡＮＴ」の無線通信方式の場合には、通信情報として、マスタ装置１０はスレーブ装置にＣｈａｎｎｅｌ  ＩＤを送信する。ここで、Ｃｈａｎｎｅｌ  ＩＤには、マスタ装置１０を特定するシリアルＮＯ、マスタ装置１０のタイプを表すプロファイルと上述したＰａｉｒｉｎｇ  Ｂｉｔとから構成されるＤｅｖｉｃｅ  Ｔｙｐｅ、およびマスタ装置１０の通信特性等を示したＴｒａｎｓｍｉｓｓｉｏｎ  Ｔｙｐｅから構成される。
【００５４】
＜スレーブ装置の機能構成＞
スレーブ装置２０は、マスタ装置１０に通信をさせる装置であって、スレーブ通信部２１、通信制御部２２、表示部２３、および入力部２４を備える。なお、マスタ装置１０は、表示部２３および入力部２４は備えていなくてもよい。
【００５５】
スレーブ通信部２１は、通信情報をマスタ装置１０から受信する。また、スレーブ通信部２１は、通信制御部２２からマスタ装置１０との通信を確立する旨の指示を受け付けると、マスタ装置１０との通信を確立する。
【００５６】
通信制御部２２は、スレーブ通信部２１を介してマスタ装置１０から受信した通信情報に基づいて、マスタ装置１０との通信を確立するか否か決定する。具体的には、通信制御部２２は、マスタ装置１０から受信した通信情報に含まれる通信可否判断の結果が通信可の場合には、マスタ装置１０との通信を確立する旨の指示をスレーブ通信部２１に送信する。一方、通信制御部２２は、マスタ装置１０から受信した通信情報に含まれる通信可否判断の結果が通信不可の場合には、マスタ装置１０との通信を確立する旨の指示をスレーブ通信部２１に送信せず、スレーブ装置２０との通信を確立しない。
【００５７】
例えば、「ＡＮＴ」の無線通信方式の場合には、通信制御部２２は、スレーブ通信部２１を介してマスタ装置１０から受信したＣｈａｎｎｅｌ  ＩＤと、保持しているＣｈａｎｎｅｌ  ＩＤとが合致する場合に、マスタ装置１０との通信を確立する旨の指示をスレーブ通信部２１に送信する。
【００５８】
また、通信制御部２２は、マスタ装置１０から受信した通信情報に含まれる通信可否判断の結果が通信可の場合に、マスタ装置１０を特定する情報を表示する。マスタ装置１０を特定する情報とは、例えば、マスタ装置のシリアルＮＯやマスタ装置１０が歩数計であるといった種別情報等である。なお、マスタ装置１０を特定する情報は、通信情報に含まれて、マスタ装置１０から送信される必要がある。通信を確立するマスタ装置１０を特定する情報を表示することで、ユーザは、スレーブ装置２０が通信を行うマスタ装置１０を確認することができる。なお、マスタ装置１０を特定する情報は、通信を確立する前であっても、確立した後であってもよい。
【００５９】
更に、通信制御部２２は、表示部２３に表示されたマスタ装置１０を特定する情報にて、スレーブ装置２０が通信を行うマスタ装置１０を確認したユーザから、そのマスタ装置との通信を許可しない旨の入力を入力部２４を介して、受け付けた場合には、スレーブ通信部２１に通信を切断する旨の指示を行う。なお、通信制御部２２は、表示部２３に表示されたマスタ装置１０を特定する情報にて、スレーブ装置２０が通信を行うマスタ装置１０を確認したユーザから、そのマスタ装置との通信を許可する旨の入力を入力部２４を介して、受け付けたことに応じて、スレーブ通信部２１に通信を確立する旨の指示を行ってもよい。
【００６０】
表示部２３は、液晶ディスプレイ（ＬＣＤ）等であって、通信制御部２２から取得したマスタ装置１０を特定する情報を表示する。
【００６１】
入力部２４は、ボタンやタッチパネル等であって、表示部２３に特定する情報が表示されたマスタ装置１０に対する、ユーザからの通信を許可するか否かの指示を受け付ける。
【００６２】
＜通信処理フロー＞
図３を用いて、本実施形態にかかる無線通信システムにおける通信処理フローについて説明する。
【００６３】
まず、ステップＳ１１において、マスタ装置１０は、図２に示した通信可否判断処理を行い、マスタ通信部１４に設定されているスレーブ装置２０との通信可否の設定を変更する。
【００６４】
次に、ステップＳ１２において、マスタ装置１０は、通信情報をスレーブ装置２０に送信する。
【００６５】
次に、ステップＳ１３において、スレーブ装置２０は、マスタ装置１０から受信した通信情報に含まれる通信可否判断の結果が通信可の場合には、ステップＳ１４に処理を進め、一方、マスタ装置１０から受信した通信情報に含まれる通信可否判断の結果が通信不可の場合には、処理を終了する。
【００６６】
次に、ステップＳ１４において、スレーブ装置２０は、マスタ装置１０との通信を確立する。
【００６７】
次に、ステップＳ１５にておいて、マスタ装置１０は、ステップＳ１４にて通信が確立されたスレーブ装置２０と通信を開始する。
【００６８】
以上説明したように、本実施形態によれば、無線通信装置が備えるセンサを活用することによって、特定の無線通信機器と容易に通信を確立することができる。また、ユーザが計測値を変化させることができるセンサをマスタ装置が備える場合には、ユーザがセンサの計測値を変化させることによって、通信を行うマスタ装置を容易に指定することができる。
【００６９】
なお、無線通信システムの処理をコンピュータ読み取り可能な記録媒体に記録し、この記録媒体に記録されたプログラムを機器に読み込ませ、実行することによって本発明の無線通信システムを実現することができる。ここでいうコンピュータシステムとは、ＯＳや周辺装置等のハードウェアを含む。
【００７０】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００７１】
また、上記プログラムは、前述した機能の一部を実現するためのものであってもよい。更に、前述した機能をコンピュータシステムにすでに記録されているプログラムとの組み合わせで実現できるもの、いわゆる差分ファイル（差分プログラム）であってもよい。
【００７２】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００７３】
１    無線通信システム
１０  マスタ装置
１１  センサ
１２  センサ制御部
１３  通信可否判断部
１４  マスタ通信部
２０  スレーブ装置
２１  スレーブ通信部
２２  通信制御部
２３  表示部
２４  入力部
【図１】
2014072755.tif 000003
【図２】
2014072755.tif 000004
【図３】
2014072755.tif 000005